(57)【特許請求の範囲】
【請求項１】
硫化された水素化処理触媒を製造する方法において、
（ａ）少なくとも５０重量％のアルミナを含む触媒担体を少なくとも一つの水素化金属成分と組成する工程、ここで、該担体は４００〜８５０℃の範囲の温度での焼成に付されている、
（ｂ）工程（ａ）の生成物を、式（Ｉ）の有機化合物と一緒にする工程、ここで該有機化合物と水素化金属合計含有量との間のモル比が、少なくとも０．０１：１であること、
0004187383.tif 000006
（ここで、Ｒ１、Ｒ２、Ｒ１’及びＲ２’は独立して、カルボニル、カルボキシル、エステル、エーテル、アミノ、又はアミドから選ばれる一つ又はそれ以上の基により置換されていてもよいところの最大１０個の炭素原子を持つアルキル、アルケニル、及びアリルから選ばれ、かつＲ３は、‐Ｏ‐又は‐ＮＲ４‐により分断されていてよいところの最大１０個の炭素原子を持つアルキレン基であり、Ｒ４は、Ｒ１について上に示されたと同じ基から選ばれ、ここで、Ｒ３アルキレン基は、カルボニル、カルボキシル、エステル、エーテル、アミノ、又はアミドから選ばれる一つ又はそれ以上の基により置換されていてよく、但し、式(Ｉ)の有機化合物は、少なくとも一つのカルボニル部分を含む）、そして
（ｃ）工程（ｂ）の生成物を硫化すること、ここで工程ｂ）の生成物は焼成されていない、
を含む方法。
【請求項２】
Ｒ１、Ｒ２、Ｒ１’及びＲ２’の少なくとも二つが、式‐Ｒ５‐ＣＯＯＸ
（ここで、Ｒ５は、１〜４個の炭素原子を持つアルキレン基であり、かつＸは、水素又は他のカチオンであり、ここで、Ｘが多価のカチオンであるなら、一つのＸは、二つ又はそれ以上の‐Ｒ５‐ＣＯＯ基に結合されることができる）
を有するところの請求項１記載の方法。
【請求項３】
硫化が水素化処理反応器の外で実行されるところの請求項１または２記載の方法。
【請求項４】
硫化が、水素化処理反応器の中で実行されるところの請求項１または２記載の方法。
【請求項５】
水素化処理反応器の中での硫化が、スパイク炭化水素フィードを伴って実行されるところの請求項４記載の方法。
【請求項６】
少なくとも０．０１：１の有機化合物対水素化金属合計含有量のモル比を維持するべく十分に低い温度で、水素化金属成分及び有機化合物を含む該担体が乾燥される請求項１〜５のいずれか一つに記載の方法。
【請求項７】
アルミナが遷移アルミナを含むところの請求項１〜６のいずれか一つに記載の方法。
【請求項８】
炭化水素フィードが、請求項１〜７のいずれか一つに記載の方法により得られ得る触媒と水素化処理条件下において接触されるところの炭化水素フィードを水素化処理する方法。
【請求項９】
炭化水素フィードが、Ｓとして計算された少なくとも０．２重量％の硫黄を含むところの請求項８記載の方法。
【請求項１０】
有機化合物と水素化金属合計含有量との間のモル比が、０．０１：１〜０．５５：１の間である請求項1〜７のいずれか一つに記載の方法。
【請求項１１】
水素化金属成分が、第VIB族の水素化金属成分およびニッケルの少なくとも一つである請求項１〜７および１０のいずれか一つに記載の方法。
【発明の詳細な説明】
【０００１】
【産業上の利用分野】
本発明は、硫化された水素化処理触媒を製造する方法、及び炭化水素フィードの水素化処理において該触媒を使用する方法に関する。
【０００２】
【従来の技術】
通常、炭化水素含有フィードを接触的に水素化処理する目的は、不純物の完全又は部分的な除去である。通常の不純物は、硫黄化合物及び窒素化合物である。フィードからのそのような不純物の少なくとも部分的な除去は、最終製品が燃焼されるとき、環境に有害な硫黄酸化物及び/又は窒素酸化物がより少ない量で放出されるであろうことを確保するであろう。加えて、不純物の減じられた含有量は、最終製品の色、臭い、及び安定性の改善をもたらす。更に、硫黄化合物及び窒素化合物は、フィードを直ぐに使用できる製品に転換するための石油工業において使用される触媒の多くに対して有毒である。そのような触媒の例は、分解触媒、水素化分解触媒、及び改質触媒を含む。それ故、フィードは、それらが例えばクラッキング工程において処理されるに先立って、接触水素化処理を施されることが慣例となっている。接触水素化処理は、水素化処理触媒の存在下に高められた温度及び圧力においてフィードを水素と接触させること意味する。このプロセスにおいて、フィード中に存在する硫黄化合物及び窒素化合物の少なくとも一部分は、容易に除去し得る硫化水素及びアンモニアに転換される。これは通常、夫々、水素化脱硫及び水素化脱窒素と言われる。
【０００３】
通常、水素化処理触媒は、第VIB族金属成分及び第VIII族非貴金属成分を担体上にデポジットされた担体から成る。最も一般的に使用される第VIB族金属はモリブデン及びタングステンであり、一方、コバルト及びニッケルは慣用的な第VIII族非貴金属である。リンがまた該触媒中に存在してよい。これらの触媒を調製するための先行技術のプロセスは、担体が、例えば、含浸により水素化金属成分と組成化され、その後、該組成化物が、金属成分をそれらの酸化物に転換するために焼成されることを特徴とする。続いて、該焼成された触媒は通常硫化処理を施される。
【０００４】
燃料中に法律的に許容される硫黄及び窒素含有量に関する要求が常により厳しくなりつつある故に、改善された活性を持つ水素化処理触媒のための絶え間のない要求がある。更に、燃料の所定の最終硫黄含有量において、より活性な触媒は、よりマイルドなプロセス条件（エネルギーの節約）下において操作すること又は再生と再生との間の触媒寿命（周期長）を増大させることを可能にして、より高い処理量を達成するであろう。
【０００５】
種々の努力が、改善された活性を持つ水素化処理触媒を提供するために従来技術においてなされている。この分野における比較的に新しい方向は有機化合物の使用である。例えば、国際特許出願公開第95/31280号公報は、
(i)水素化金属を含む触媒組成物を、有機化合物、例えばＥＤＴＡと接触させることにより湿潤化すること、
(ii)湿潤化された基材を湿っている間にエージングすること、
(iii) エージングされた基材を乾燥すること、そして
(iv)乾燥された基材を焼成すること
を含むところの方法を開示している。乾燥及び焼成段階は、水素化処理触媒中に元々存在する有機化合物の全体量を除去又は分解するような方法で実行されることが、国際特許出願公開第95/31280号公報に明確に開示されている。何らの有機化合物をも結果として含まないところの得られた水素化処理触媒は続いて、水素化脱硫されるためにフィードと接触され、そして該プロセスにおいて硫化される。欧州特許第0164162号公報はまた、触媒製造における有機化合物の使用を取り扱っている。しかし、国際特許出願公開第95/31280号公報の場合におけるように、担体への有機化合物の組込みに続く焼成段階は必須として開示されている。
【０００６】
【発明が解決しようとする課題】
本発明は、水素化処理触媒が硫化段階に付されるところの、硫化された水素化処理触媒を製造する方法に関し、ここで、水素化処理触媒が少なくとも５０重量％のアルミナを含む担体を含み、該触媒は少なくとも一つの水素化金属成分、並びに少なくとも一つの共有結合された窒素原子及び少なくとも一つのカルボニル部分を含む有機化合物を含み、かつ該有機化合物と水素化金属合計含有量との間のモル比が、少なくとも０．０１：１である。
【０００７】
本発明の方法と国際特許出願公開第95/31280号公報又は欧州特許第0164162号公報の方法との間の相違は、これらの二つの引用文献において有機化合物が、硫化に先立って乾燥及び焼成により水素化処理触媒から除去されるのに対して、本発明のプロセスにおいて硫化されるべき水素化処理触媒は、上記の量において有機化合物を含むと言う事実に帰する。驚くべきことに、本発明の硫化された触媒は、国際特許出願公開第95/31280号公報又は欧州特許第0164162号公報の触媒の水素化処理における活性と等しいか又はより一層高いところの水素化処理における活性を有し、同時に、焼成段階の省略がより簡単かつ安価な方法にすることが分かった。
【０００８】
付随的に国際特許出願公開第96/41848号公報又は欧州特許第0601722号公報は、有機化合物を含んでいる間に使用され、そして従って硫化されるところの有機化合物含有水素化処理触媒の製造方法を開示している。しかし、両者の引用文献は、本発明のプロセスにおいて使用される窒素及びカルボニル含有化合物とは全く異なるところの有機化合物を開示している。有機化合物含有水素化処理触媒の硫化が開示されているところの更なる引用文献は、欧州特許第0181035号公報である。しかし、この引用文献はシリカ担体を含む触媒に完全に向けられている。これらの触媒は、担体が少なくとも５０重量％のアルミナを含むところの本発明の触媒とは完全に相違する。
【０００９】
最後に、欧州特許第0482818号公報の比較例１は、三酸化物として計算された２２重量％のモリブデン、酸化物として計算された４重量％のコバルト、Ｐ２Ｏ５として計算された３重量％のリンを含むアルミナ水和物担体、並びに第VI族及び第VIII族金属の合計モル量の０．６倍のモル量のＥＤＴＡから成る触媒を開示している。この引用文献は全体として、本発明の触媒組成物と完全に異なる触媒組成物、即ち、アルミナ水和物、第VI族金属、第VIII族金属、及びオキシ酸を含む触媒組成物を取り扱っており、かつ上記の比較例は単に比較に過ぎない故に、この引用文献は、偶発的な発見と見なされるべきである。それ故、上記組成を持つ触媒は権利請求されない。
【００１０】
【課題を解決するための手段】
本発明は、下記に更に詳細に述べられるであろう。
本発明は、水素化処理触媒が硫化段階に付されるところの、硫化された水素化処理触媒を製造する方法に関し、ここで、水素化処理触媒が少なくとも５０重量％のアルミナを含む担体を含み、該触媒は少なくとも一つの水素化金属成分、並びに少なくとも一つの共有結合された窒素原子及び少なくとも一つのカルボニル部分を含む有機化合物を含み、かつ該有機化合物と水素化金属合計含有量との間のモル比が、少なくとも０．０１：１である。
【００１１】
本明細書の文脈において、術語「硫化段階」は、触媒に存在する水素化金属成分の少なくとも一部分が硫化形態に転換されるところのいずれのプロセス段階をも含むことを意味する。適切な硫化プロセスは当業者に公知である。通常公知の硫化プロセスは水素化処理反応器の外（以下で「別の場」ということがある）（ex-situ）で及び水素化処理反応器の中（以下で「その場」ということがある）（in-situ）での硫化である。別の場での硫化プロセスは、触媒が炭化水素フィードを水素化処理するのに使用されるべきであるところの反応器の外側において行う。そのようなプロセスにおいて、触媒は、反応器の外側で硫黄化合物、例えば、ポリスルフィド又は元素硫黄と接触され、かつ必要なら、乾燥される。第二段階において、該物質は、触媒を活性化するため、即ち、それを硫化された状態にするために任意的にフィードの存在下に反応器において高められた温度で水素ガスにより処理される。
【００１２】
その場での硫化プロセスは、触媒が、炭化水素フィードを水素化処理するのに使用されるべきであるところの反応器において行う。ここで、触媒は、硫化剤、例えば、硫化水素又は広く行われている条件下において硫化水素に分解し得るところの化合物と混合された水素ガス流と高められた温度において反応器中で接触される。広く行われている条件下に硫化水素に分解し得るところの硫黄化合物を含む炭化水素フィードと組合された水素ガス流を使用することがまた可能である。後者の場合に、添加された硫化剤を含む炭化水素フィード（いわゆるスパイクトフィード(spikedfeed)）を使用することができ、しかし、また、フィード中に存在する硫黄成分が触媒の存在下に硫化水素に転換されるであろう故に、任意の添加された硫化剤を含まない硫黄含有炭化水素フィードを使用することもできる。炭化水素フィードは水素化脱硫に付されるべきフィードであるが、それはまた、水素化脱硫に付されるべきフィードにより後で置き換えられるところの別のフィードであり得る。種々の硫化技術の組合せがまた適用され得る。上記の全ては当業者に公知である。結局この点において、任意的にスパイクされた炭化水素フィードによるその場での硫化が好ましいと考えられる。
【００１３】
【発明の実施の形態】
本発明の水素化処理触媒中に存在する有機化合物は、少なくとも一つの共有結合された窒素原子及び少なくとも一つのカルボニル部分を含む。例は、アミノポリカルボン酸、例えば、ニトリロ三酢酸、エチレンジアミン（四）酢酸（ＥＤＴＡ）、及びジエチレントリアミン五酢酸を含む。有機化合物は、好ましくは少なくとも二つの窒素原子及び好ましくは少なくとも二つのカルボニル部分を含む。少なくとも一つのカルボニル部分がカルボキシル基に存在することが更に好ましい。少なくとも一つの窒素原子が、少なくとも二つの炭素原子に共有結合されていることがより一層好ましい。好ましい有機化合物は、式（Ｉ）
0004187383.tif 000002
を満たす化合物である。ここで、Ｒ１、Ｒ２、Ｒ１’及びＲ２’は独立して、カルボニル、カルボキシル、エステル、エーテル、アミノ、又はアミドから選ばれる一つ又はそれ以上の基により任意的に置換されていてもよいところの最大１０個の炭素原子を持つアルキル、アルケニル、及びアリルから選ばれる。Ｒ３は、‐Ｏ‐又は‐ＮＲ４‐により分断されていてよいところの最大１０個の炭素原子を持つアルキレン基である。Ｒ４は、Ｒ１について上に示されたと同じ基から選ばれる。Ｒ３アルキレン基は、カルボニル、カルボキシル、エステル、エーテル、アミノ、又はアミドから選ばれる一つ又はそれ以上の基により置換されていてよい。上で詳しく述べたように、式（Ｉ）の有機化合物は少なくとも一つのカルボニル部分を含むことが必須である。好ましくは、Ｒ１、Ｒ２、Ｒ１’及びＲ２’の少なくとも二つは式‐Ｒ５‐ＣＯＯＸを有し、ここで、Ｒ５は、１〜４個の炭素原子を持つアルキレン基であり、そしてＸは、水素又は他のカチオン、例えば、アンモニウム、ナトリウム、カリウム、及び/又はリチウムカチオンである。もし、Ｘが多価のカチオンであるなら、一つのＸは、二つ又はそれ以上の‐Ｒ５‐ＣＯＯ基に結合されることができる。そのような化合物の典型的な例は、エチレンジアミン（四）酢酸（ＥＤＴＡ）、ヒドロキシエチレンジアミン三酢酸、及びジエチレントリアミン五酢酸である。本発明の水素化処理触媒は、単一の有機化合物並びに異なる有機化合物の組合せを含み得ることは明らかであろう。
【００１４】
水素化処理触媒の担体は、少なくとも５０重量％のアルミナを含む。アルミナは好ましくは、遷移アルミナ、例えば、η‐、θ‐、又はγ‐アルミナを含み、ここで、γ‐アルミナが最も好ましい。担体はその上、更なる成分、例えば、慣用の酸化物、例えば、シリカ、シリカ‐アルミナ、シリカ‐アルミナが分散されたアルミナ、シリカ被覆されたアルミナ、マグネシア、ジルコニア、ボリア、及びチタニア、並びにこれらの酸化物の混合物を含み得る。アルミナは、担体の合計重量に基いて、好ましくは８０重量％より多くの量で、そしてより好ましくは８５重量％より多くの量で、そして更により好ましくは８８重量％より多くの量で担体中に存在する。９５重量％より多くのアルミナを含む担体が更により好ましい。担体は実質的にアルミナ、好ましくは遷移アルミナを含むことが最も好ましい。
【００１５】
担体は、当業者に公知のプロセス、例えば、下記の手順に従って製造され得る。
【００１６】
アルミナ担体のための前駆体は、例えば、アルミナヒドロゲル（ベーマイト）の形態において選ばれる。前駆体が、例えば、スプレードライイングにより乾燥され又は乾燥されなかった後に、担体は通常、例えば押出しにより粒子状に成形される。成形された粒子は通常、４００〜８５０℃の範囲の温度で焼成され、結果として、遷移アルミナ、例えば、γ‐、θ‐、又はη‐アルミナを含む担体を生ずる。
【００１７】
水素化処理触媒中に含まれる水素化金属は好ましくは、第VIB族金属及び第VIII族非貴金属の組み合わせである。適切な第VIB族金属は、例えば、モリブデン、タングステン、及びクロムである。適切な第VIII族非貴金属は、例えば、ニッケル、コバルト、及び鉄を含む。モリブデン及び/又はタングステンとニッケル及び/又はコバルトとの組み合わせが特に好ましい。もし、触媒の水素化脱硫の活性がより重要であるなら、モリブデンとコバルトの組合せが有利である。もし、触媒の水素化脱窒素の活性がより重要であるなら、モリブデン又はタングステンとニッケルの組合せが有利である。
【００１８】
所望なら、他の成分、例えば、リン、ハロゲン、及びホウ素が触媒中に存在されることができる。
【００１９】
本発明の水素化処理触媒は、
１．少なくとも５０重量％のアルミナを含む触媒担体を少なくとも一つの水素化金属成分と組成すること、
２．水素化金属成分による該組成化に続いて、該触媒担体を該有機化合物と組成すること、
３．少なくとも０．０１：１の有機化合物対水素化金属合計含有量のモル比を維持するべく、十分に低い温度で水素化金属成分及び有機化合物を含む該担体を任意的に乾燥すること、
の段階を含むプロセスにより製造され得る。
【００２０】
上記のように、担体は、水素化金属成分に続いて有機化合物と組成化される。これは、下記においてより詳細に述べられるであろう。
【００２１】
担体がまず、水素化金属成分と組成化され、そして続いて、得られた担体が、有機化合物と組成化される。これは、例えば、担体を、第一のプロセス段階において一つ又はそれ以上の水素化金属成分を含む溶液により含浸すること、そして、安定な酸化物に水素化金属成分を転換するために十分な温度でこのようにして得られた生成物を任意的に乾燥及び/又は焼成することによりなされ得る。第二のプロセス段階において、このようにして得られた生成物は次いで、有機化合物と組成化される。例えば、有機化合物により、上記で定義したような担体上に水素化金属成分を含む慣用の水素化処理触媒を組成化することが可能である。このプロセスにおいて使用される慣用の水素化処理触媒は、新しく製造された水素化処理触媒又は再生されたところの使用済みの水素化処理触媒のいずれであってもよい。
【００２２】
有機化合物による組成化は、例えば、適切な溶媒中に有機化合物を含む含浸溶液の適切な量により担体を含浸することにより実行され得る。これは、例えば、当業者に周知の、平衡／浸漬含浸により又は細孔体積含浸により行われ得る。この技術において、含浸溶液の合計体積は、含浸されるべき担体の合計細孔体積の範囲にあるために選ばれる。担体及び含浸溶液の適切な量が、含浸溶液の実質的に全てが担体に吸収されるまで、混合される。
【００２３】
他の化合物、例えば、メタノール、エタノール及び他のアルコールがまた、有機化合物の性質に依存して適切であり得るけれども、有機化合物を含む含浸溶液を製造するために使用される溶媒は通常水である。もし、有機化合物の性質が自体これを与えるなら、溶媒の使用は原則として必要がない。これは、例えば、室温で液体であるところの化合物にあてはまる。
【００２４】
上記のように触媒担体が、遷移アルミナ、例えば、η‐、θ‐、又はγ‐アルミナを含むことが好ましく、ここで、γ‐アルミナが最も好ましいことが注目される。これは、もし、アルミナ水和物、例えばベーマイトが出発物質として使用されるなら、担体は好ましくは、アルミナ水和物の少なくとも一部分を遷移アルミナに転換するために焼成段階に付される。焼成段階は通常、０．５〜６時間、４００〜８５０℃の温度で実行される。この焼成段階は任意の添加物を取除くであろう故に、この場合に、添加物が、遷移アルミナが形成された後にのみ、触媒組成物中に組込まれるべきであることは明白であろう。従って、第一段階において、遷移アルミナを含む担体が、通常、成形された粒状物の形態で製造され、その後、第二段階において、添加物が担体と組成化されるところのプロセスにより触媒を製造することが好ましい。水素化金属は、添加物の組込みに先立つ、遷移アルミナを含む担体の含浸において触媒中に組込まれ得る。
【００２５】
上記における含浸技術に代って、たとえば、浸漬法、スプレー法等が使用されることができ、ここで、含浸、例えば、細孔体積含浸が好ましい。更に、上記のように、有機化合物の性質に依存して、水素化金属成分及び有機化合物そのままと、即ち、溶媒を使用することなしに担体を組成化することが可能である。
【００２６】
水素化金属成分は好ましくは、それらの夫々の酸化物として計算して、０．１〜５０重量％の量で施与される。もし、水素化金属成分が、第VIB族及び第VIII族非貴金属成分を含むなら、それらは好ましくは、三酸化物及び一酸化物として計算されて、夫々、５〜５０重量％、好ましくは５〜３０重量％の量及び１〜１５重量％、好ましくは１〜１０重量％の量で施与される。金属含有量は、ドライベースとして、即ち、空気中で６００℃において１時間からの加熱後の触媒に基いて計算される。
【００２７】
上記に示したように、含浸技術により有機化合物を担体中に組込むことが好ましい。この場合において、水素化処理触媒の製造に使用されるべき有機化合物の適切な量の適切な選択は、下記のようにして調節される。即ち、使用されるべき有機化合物そのままの適合性及び有機化合物の量の両者を決定する重要な因子は、有機化合物を含む含浸溶液の粘度である。高触媒活性を得るために、有機化合物は、触媒上に均一に分散されなければならない。含浸溶液が余りにも粘性であり過ぎるなら、含浸段階は、触媒上に有機化合物の均一な分散をもたらさないであろう。有機化合物の性質に依存して、有機化合物の適切な量は好ましくは、触媒中に存在する合計水素化金属の１モル当り有機化合物の０．０５〜２．５モルの範囲にある。加えられた有機化合物の量が余りに低すぎるなら、本発明の有利な効果が得られないであろう。一方、有機化合物の非常に多い量の添加は発明の効果を改善しないであろう。それどころか、金属の浪費の他に、必要な量より多い量の有機化合物の添加は、大量の有機物質が触媒中に存在することをもたらし、それは、触媒が硫化され及び/又は使用されるときに有害なコークス形成及び所望されない分解生成物をもたらし得る。更に、前に説明したように、多量の有機化合物の使用は、許容し得ない値に含浸溶液の粘度を上昇し得る。当業者に明らかであるように、特定の状況において使用されるべき有機化合物の正確な量、及びこれらの範囲のための上下限は、触媒の金属含有量、触媒の細孔体積及び細孔寸法分布、有機化合物の性質、含浸溶液に使用されるべき溶媒、含浸条件等を含む種々のパラメータに依存するであろう。上記変数を計算して、各々の特定の状況において使用されるべき有機化合物の最適な量を決定することは当業者の範囲内において十分であろう。
【００２８】
上記のプロセスにおいて担体中に組込まれるべき適切な他の化合物は、例えば、リン、ホウ素、又はハロゲンを含む化合物である。特に、触媒の脱窒素活性を改善するために、触媒の重量に基いてＰ２Ｏ５として計算された０．１〜１０重量％の量におけるリンの組込みが好ましい。適切なリン化合物は、リン酸及び種々のアンモニウムハイドロジェンホスフェートを含む。リン含有化合物は、例えば、リン含有化合物を更に含むところの含浸溶液を含浸段階において施与することにより、例えば、担体中に組込まれ得る。
【００２９】
担体、有機化合物、及び水素化金属成分を含む触媒は、もし乾燥が必要なら乾燥段階の前に、担体が有機化合物及び水素化金属成分と組成化された後に、エージングされることが可能である。しかし、エージングは、より複雑なプロセスを形成し、同時にそれが活性の増加をもたらさないと思われる故に、結局この点においてエージングは好ましくない。
【００３０】
エージング段階において適用されるエージング時間は、もし採用されるなら、温度の関数である。通常、エージング時間は、エージング温度の上昇に伴って減少する。好ましくは、担体、水素化金属成分、及び有機化合物を含むところの得られた触媒のエージングが、４時間に亘る時間のために０〜５０℃の温度、又は３時間に亘る時間のために５０℃を超える温度において実行される。替りの実施態様において、担体、水素化金属成分、及び有機化合物を含むところの得られた触媒が、１５分間に亘る時間、水熱条件下（即ち、水がなお液相であるような圧力で）１００℃を超える温度においてエージングされる。あるいは、担体、水素化金属成分、及び有機化合物を含む得られた触媒をエージングする段階は、マイクロ波での加熱によりもたらされる。他方、例えば、誘導加熱を使用する加熱による、担体、水素化金属成分、及び有機化合物を含むところの得られた触媒をエージングする段階をもたらすことがまた可能である。
【００３１】
もし必要なら、任意的にエージングされた触媒が溶媒を取除くために乾燥される。もし乾燥段階が実行されるなら、それは、得られた水素化処理触媒において、少なくとも０．０１：１、好ましくは少なくとも０．０５：１、そしてより好ましくは少なくとも０．１：１の有機化合物合計含有量対水素化金属合計含有量のモル比を維持するために十分に低い温度においてもなされなければならない。モル比は、とりわけ、０．６５ミリリットル／グラム未満の細孔体積を持つ触媒のために、最大０．５５：１であることが好ましくあり得る。結果として、採用されるべき乾燥条件は、触媒中に存在する有機化合物が沸騰し又は分解するところの温度に大きく依存する。乾燥段階の間に触媒にできるだけ多くの有機化合物を保持することが好ましいが、より揮発性の有機化合物で、乾燥段階の間のこれらの有機化合物の蒸発は常には回避されることができない。従って、乾燥段階は、減圧下に空気中で、又は不活性ガス中で実行され得る。通常、より低い温度が、触媒中に存在する有機化合物の性質に依存して必要であり得るけれども、２２０℃未満の乾燥温度を有することが有利である。８０〜１５０℃の温度範囲が通常好ましいであろう。
【００３２】
もし、製造プロセスが上記の段階とは別に更なるプロセス段階を含むなら、上記の値未満に、得られた水素化処理触媒中の有機化合物と水素化金属合計含有量との間のモル比を減じるところのプロセス段階が採用されないことが注意さなければならない。例えば、有機化合物と担体を組成化した後及び得られた水素化処理触媒の硫化に先立って、慣用の焼成が、有機化合物の全量を取除くであろう故に、国際特許出願公開第95/31280号公報又は欧州特許第0164162号公報のプロセスにおける場合のように、慣用の焼成は実行されてはならない。これらの引用文献の焼成段階は本発明の方法において不要にされることができ、そしてそれは経済的に非常に有利である。
【００３３】
水素化処理プロセス
本発明はまた、炭化水素フィードを水素化処理するためのプロセスに関し、炭化水素フィードが水素化処理条件下に上記の水素化処理触媒と接触される。
水素化処理は通常、２５０〜４５０℃の範囲の温度、５〜２５０バールの範囲の圧力、０．１〜１０時間−１の範囲の空間速度、及び５０〜２０００Ｎリットル／リットルの範囲のＨ２／油比のような慣用の水素化処理条件下に行う。適切なフィードの例は、中間留出物、灯油、ナフサ、減圧ガス油、及び重質ガス油を含む。好ましくは、炭化水素フィードは、原子硫黄Ｓとして計算されて少なくとも０．２重量％の硫黄を含む。好ましい水素化処理反応は、（高度な）水素化脱硫、水素化脱窒素、及び水素化脱芳香族である。
本発明は、下記の実施例により説明される。
【００３４】
【実施例】
本発明に従う触媒１は次のようにして製造された。γ‐アルミナ担体上の、三酸化物として計算された２６重量％のモリブデン、酸化物として計算された４．７重量％のニッケル、及びＰ２Ｏ５として計算された６．７重量％のリンを含む慣用の水素化処理触媒が、モリブデン及びニッケルの合計の１モル当り０．１１モルのＥＤＴＡを含むところのジアンモニウムＥＤＴＡ溶液での細孔体積含浸により含浸された。該触媒は、閉じられた容器中で７５℃で３日間エージングされた。エージング後、該触媒は１３０℃の生成物温度に熱風で循環しながら乾燥される。
【００３５】
本発明に従う触媒２は、それが、ＥＤＴＡ含浸後にエージングされず、１．５時間乾燥されたことを除いて、触媒１と同じ方法で製造された。
比較触媒１は、エージング段階後に触媒が４５４℃の温度において２時間焼成されたことを除いて、触媒１と同じ方法で製造された。この触媒は、国際特許出願公開第95/31280号公報の教示に従う。
【００３６】
触媒は、アップフローの管型反応器において試験された。各々の反応器チューブは、７０ミリリットルのカーボランダム粒子により均一に混合された７５ミリリットルの触媒を含んでいた。触媒は、ジメチルジスルフィドが２．５重量％の合計のＳ含有量まで溶解されているところのＳＲＧＯを使用して硫化された（ＬＨＳＶ＝４．０、Ｈ２/油＝１２０Ｎリットル／リットル、Ｐ＝３０バール、Ｔ＝３２０℃）。
【００３７】
硫化が完了した後、フィードがＶＧＯに変えられ、そして反応条件が調節された。ＶＧＯフィード原料の性質は、下記の表１に与えられている。反応条件は、下記の表２に与えられている。
【００３８】
【表１】
0004187383.tif 000003
【００３９】
【表２】
0004187383.tif 000004
反応器からの油生成物が分析され、そして、水素化脱窒素のための触媒の比体積活性が計算された。ここで、比較触媒１の活性は１００に設定された。結果は下記の表３に与えられている。
【００４０】
【表３】
0004187383.tif 000005
【００４１】
これは、焼成段階なしに製造されたところの触媒１が比較触媒１と同じく良好であることを示している。これは、活性を失うことなしに焼成段階を免除することを可能にする。焼成段階及びエージング段階なしに製造されたところの触媒２は他の触媒より良好な結果を示す。明らかに、より簡単な触媒製造プロセスが、増加された活性を持つ触媒をもたらし得る。